【手続補正書】
【提出日】平成21年1月13日(2009.1.13)
【手続補正１】
【補正対象書類名】明細書
【補正対象項目名】特許請求の範囲
【補正方法】変更
【補正の内容】
【特許請求の範囲】
【請求項１】少なくともひとつのスペクトル域を有するレーザー光を走査装置により対物レンズを介して試料上を走査し、前記試料からの蛍光を所望のスペクトル範囲に絞り込んで光検出する走査型レーザー顕微鏡において、
少なくとも１つのスペクトル域からなる前記レーザー光をスペクトル分解するスペクトル分解手段と、
スペクトル分解された前記レーザー光を集光する第１の光学手段と、
前記レーザー光をコリメートして前記試料へ導く一方で、前記試料からの光を集光する第２の光学手段と、
スペクトル分解された前記レーザー光を合成する一方で、前記試料からの光をスペクトル分解するスペクトル合成／分解手段と、
前記第１の光学手段と前記第２の光学手段の略焦点位置に配置され、少なくともひとつのスペクトル域のレーザー光は通過させ、試料からの光の一部を反射する少なくとも１つの反射手段と、
前記反射手段により導かれた試料からの光を検出する光検出器と、を具備することを特徴とする走査型レーザー顕微鏡。
【請求項２】  前記反射手段は、前記試料からの光を、その波長幅と波長域の両方を調整しながら反射可能に構成されていることを特徴とする請求項１記載の走査型レーザー顕微鏡。
【請求項３】少なくとも１つのスペクトル域からなるレーザー光を走査装置により対物レンズを介して試料上を走査し、前記試料からの蛍光を所望のスペクトル範囲に絞り込み、光検出する走査型レーザー顕微鏡において、
少なくとも１つのスペクトル域からなる前記レーザー光をスペクトル分解するスペクトル分解手段とスペクトル分解された前記レーザー光を集光する第１の光学手段と、
前記第１の光学手段の略焦点位置に配置され、スペクトル分解された前記レーザー光を少なくとも部分的に前記試料への光路へ向けて反射させる一方で、前記試料からの光を波長幅と波長域を調整可能に通過させる少なくとも１つの反射手段と、
前記反射手段で反射された、前記レーザー光をコリメートする一方で、前記試料からの光を前記反射手段に略集光する第２の光学手段と、
前記反射手段を通過した試料からの光を検出する光検出器と、を具備することを特徴とする走査型レーザー顕微鏡。
【請求項４】 前記第２の光学手段に接続されるとともに、前記試料からの光を集光する共焦点レンズと、前記共焦点レンズの焦点位置に配置された共焦点絞りと、を更に備え、これらが走査装置に接続されていることを特徴とする請求項１から３のいずれかに記載の走査型レーザー顕微鏡。
【請求項５】 前記光検出器は試料からの光が前記スペクトル合成／分解手段に入射する位置と光学的に略共役な位置に配置されていることを特徴とする請求項１から３のいずれかに記載の走査型レーザー顕微鏡。
【請求項６】 前記反射手段と前記光検出器との間に配置され、前記反射手段により反射された試料からの光をコリメートする第３の光学手段を更に備えたことを特徴とする請求項１から３のいずれかに記載の走査型レーザー顕微鏡。
【請求項７】 前記反射手段により反射された試料からの光をコリメートする第３の光学手段と、試料からの光を前記第３の光学手段を経てスペクトル合成するスペクトル合成手段と、試料からの光を前記スペクトル合成手段を経て集光する共焦点レンズと、前記共焦点レンズの焦点位置に配置された共焦点絞りと、前記共焦点絞りを通過した試料からの光を検出する光検出器と、からなる検出光路が前記反射手段に接続されることを特徴とする請求項１から３のいずれかに記載の走査型レーザー顕微鏡。
【請求項８】 前記第２の光学手段と前記第３の光学手段とは同一に構成されることを特徴とする請求項６または7に記載の走査型レーザー顕微鏡。
【請求項９】 前記第２の光学手段と前記第３の光学手段とは同一に構成されるとともに、前記スペクトル合成／分解手段と前記スペクトル合成手段も同一に構成されることを特徴とする請求項６または7に記載の走査型レーザー顕微鏡。
【請求項１０】 前記スペクトル合成／分解手段と前記対物レンズの間に配置された中間倍率変更手段を更に備えたことを特徴とする請求項１から３のいずれかに記載の走査型レーザー顕微鏡。
【請求項１１】 前記中間倍率変更手段は使用する対物レンズの瞳径に対応して設定可能に構成されることを特徴とする請求項１０に記載の走査型レーザー顕微鏡。
【請求項１２】 前記スペクトル合成／分解手段から出射するレーザー光は直接走査装置に接続されることを特徴とする請求項１から３のいずれかに記載の走査型レーザー顕微鏡。
【請求項１３】 前記反射手段はミラーであって、その反射面は頂角を有する形状からなるとともに、前記スペクトル合成／分解手段により試料からの光束がスペクトル分解される方向に略一致する第１の移動軸と、前記第１の移動軸に対しては略直交し試料からの光束方向とは一致しない第２の移動軸とを有し、駆動機構によってこれら移動軸に沿って可動に構成されることを特徴とする請求項１から３のいずれかに記載の走査型レーザー顕微鏡。
【請求項１４】 前記反射手段の反射面は、前記スペクトル分解手段により前記レーザー光がスペクトル分解される方向に対して、垂直でない、頂角をなす２つの稜線で構成されるとともに、前記レーザー光が前記ミラーにより回折される光束を遮断する遮断部材が光路に配置されていることを特徴とする請求項１または２に記載の走査型レーザー顕微鏡。
【請求項１５】 前記反射手段の反射面は、前記スペクトル分解手段により前記レーザー光がスペクトル分解される方向に対して、垂直でない、頂角をなす２つの稜線で構成されることを特徴とする請求項３に記載の走査型レーザー顕微鏡。
【請求項１６】 前記第１の光学手段と前記第２の光学手段は球面ミラー、または方物ミラーで構成されることを特徴とする請求項１から３のいずれかに記載の走査型レーザー顕微鏡。
【請求項１７】 前記スペクトル合成／分解手段と走査装置の間に配置され、レーザー光を対物レンズに導光するためのレーザー光導光手段を更に備えたことを特徴とする請求項１から３のいずれかに記載の走査型レーザー顕微鏡。
【請求項１８】 前記反射手段を通過した試料からの光束を反射させ、光の進行方向を偏向させる少なくとも１つの偏向手段を更に備えたことを特徴とする請求項３に記載の走査型レーザー顕微鏡。
【請求項１９】 前記偏向手段は前記スペクトル分解手段により光束が分解されるスペクトル分解方向に略一致する方向と、この方向に略直交する方向の２方向に移動可能に配置された３角形成分を有する形状（スペクトル分解方向に対して平行でない稜線を有する形状）のミラーで構成されることを特徴とする請求項１８に記載の走査型レーザー顕微鏡。
【請求項２０】 別のレーザ光が、前記スペクトル合成／分解手段と前記対物レンズとの間から入射することを特徴とする請求項１記載の走査型レーザー顕微鏡。
【請求項２１】 前記第２の光学手段は、前記反射手段と前記光検出器との間に配置され、前記反射手段により反射された試料からの光をコリメートすることを特徴とする請求項１記載の走査型レーザー顕微鏡。
【請求項２２】 前記第２の光学手段は、前記反射手段により反射された試料からの光をコリメートし、
前記第２の光学手段によりコリメートされた試料からの光をスペクトル合成するスペクトル合成部と、
前記スペクトル合成部により合成された試料からの光を集光する共焦点レンズと、
前記共焦点レンズの焦点位置に配置された共焦点絞りと、
前記共焦点絞りを通過した試料からの光を検出する前記光検出器とを含む検出光路が、前記反射手段に光学的に接続されることを特徴とする請求項１記載の走査型レーザー顕微鏡。
【請求項２３】 前記反射手段と前記光検出器との間に配置され、前記反射手段により反射された試料からの光をコリメートする第３の光学手段を更に備え、
前記第２の光学手段と前記第３の光学手段とは同一に構成されるとともに、
前記スペクトル合成／分解手段と前記スペクトル合成手段が単一に構成されることを特徴とする請求項３に記載の走査型レーザー顕微鏡。
【請求項２４】スペクトル分解された光束の波長幅と波長域とを調整しながら前記光束を反射する少なくとも１つのミラーを駆動する駆動部と、
前記駆動部を制御する制御部とを備えたことを特徴とするミラー駆動機構。
【請求項２５】スペクトル分解された光束の波長幅と波長域とを調整しながら前記光束を遮光する少なくとも１つの遮光部材としてのミラーを駆動する駆動部と、
前記駆動部を制御する制御部とを備えたことを特徴とするミラー駆動機構。
【請求項２６】入射光束を所望のスペクトルに分解するスペクトル分解手段と、
前記スペクトル分解された光束の波長幅と波長域とを調整しながら反射する少なくとも１つのの反射手段と、
前記反射手段によって反射された光束を受光して光検出する少なくとも１つの検出器とを備えたことを特徴とする分光装置。
【請求項２７】入射光束を所望のスペクトルに分解するスペクトル分解手段と、
前記スペクトル分解された光束の波長幅と波長域とを調整しながら遮断する少なくとも１つのの遮光手段と、
前記遮光手段によって遮光されずに通過した光束を受光して光検出する少なくとも１つの検出器とを備えたことを特徴とする分光装置。
【請求項２８】前記遮光手段と前記検出器との間に配置され、前記光束の少なくとも１つを偏向するための偏向手段を更に備えたことを特徴とする請求項２７記載の分光装置。